(57)【特許請求の範囲】
【請求項１】
活性層もしくは当該活性層の上方あるいは下方に形成した積層に形成された二次元フォトニック結晶を有する面発光半導体レーザにおいて、
前記二次元フォトニック結晶は、一様な周期構造を有する内面部と当該内面部の周囲を囲む４辺の端部とからなる矩形領域を有し、
前記矩形領域は、２組の互いに対向する２辺の端部において、内面部を挟んで対向する２辺の端部は互いに異なる構造を有し、互いに対向する２辺の端部は前記内面部に対して互いに非対称な構造であり、
前記非対称な構造は、フォトニック結晶の面内で共振する光の位相をずらし単峰性の出射ビームを形成することを特徴とする面発光半導体レーザ。
【請求項２】
前記二次元フォトニック結晶は、
媒質層と、当該媒質層と屈折率を異にし、前記媒質層内の面方向に配列される複数の媒質部とを備え、
前記構造を異にする端部は、前記媒質層の膜厚、前記媒質層の屈折率、前記媒質部の格子定数、前記媒質部の大きさの少なくとも何れか一つの構造パラメータが異なることを特徴とする請求項１に記載の面発光半導体レーザ。
【請求項３】
前記媒質部は前記媒質層の膜厚方向に形成された孔から成り、
前記媒質部の格子定数は前記孔の配置間隔であり、前記媒質部の大きさは前記孔の径であることを特徴とする請求項２に記載の面発光半導体レーザ。
【請求項４】
前記二次元フォトニック結晶は、
前記構造を異にする端部は、反射防止膜を備えることを特徴とする請求項１に記載の面発光半導体レーザ。
【請求項５】
前記二次元フォトニック結晶は、
媒質層と、当該媒質層と屈折率を異にし、前記媒質層内の面方向に配列される複数の媒質部とを備え、
前記構造を異にする端部は、前記媒質層の膜厚、前記媒質層の屈折率、前記媒質部の格子定数、前記媒質部の大きさの少なくとも何れか一つの構造パラメータが異なる端部、および反射防止膜を備える端部を備えことを特徴とする請求項１に記載の面発光半導体レーザ。
【請求項６】
前記反射防止膜は、二次元フォトニック結晶の端部の側面、二次元フォトニック結晶の端部の上下面の何れか一方の面、二次元フォトニック結晶の端部の上面および下面、二次元フォトニック結晶の端部の側面および上下面の何れか一方の面、二次元フォトニック結晶の端部の側面および上下面の内の何れか面に形成することを特徴とする請求項４又は５に記載の面発光半導体レーザ。
【請求項７】
前記反射防止膜は、フッ化マグネシウムを蒸着させた薄膜からなるＡＲコートであることを特徴とする請求項４から６のいずれか一つに記載の面発光半導体レーザ。
【発明の詳細な説明】
【技術分野】
【０００１】
本発明は、半導体レーザに関し、特にフォトニック結晶を用いてコヒーレンスを低減したレーザ光を発生する半導体レーザに関する。
【背景技術】
【０００２】
光ディスクやレーザディスプレイでは、高出力で所望の出射ビームをもつ半導体レーザが求められている。このような半導体レーザとしてフォトニック結晶レーザが提案されている（非特許文献１，２）。このフォトニック結晶レーザでは、円孔を配列させた二次元的な回折格子によって面内全域で光結合を起こさせ、回折条件によってレーザ光を上方へ取り出している。
【０００３】
フォトニック結晶の二次元格子での回折を利用するレーザは、格子構造として作製に容易さから円孔の配列が用いられている。
【０００４】
この二次元格子の回折による光放射では、その構造や格子の対称性から、放射光は素子の真上に放射されず、真上からわずかに傾いた角度で放射されることが原理的に知られている。これは、面内で共振する光が横方向でわずかな位相ずれを起こし、斜めに傾いた光に対して放射成分が生じるためである。その結果、出射ビームはリング状あるいは双峰性を示すことになる。
【０００５】
光ディスクやレーザディスプレイ等の応用分野では、高出力であると共に、出射ビームが単峰性であることが望まれる。そのため、ビーム形状がリング状あるいは双峰性を有する出射ビームは、応用上好ましくない。
【０００６】
このような課題に対して、格子点の構造を調整することによって、格子の対称性を意図的に乱し、真上へ単峰性ビームを形成する提案がなされている（非特許文献４〜７）。ここでは、周期配列させる格子の形状を、例えば三角形状としたり、微小孔を追加することによって、単峰性ビームを形成することが提案されている。
【０００７】
【非特許文献１】Dai Ohnishi,Takayuki Okano,Masahiro Imada,Susumu Noda OPTICS EXPRES 19April2004/Vol.12, 1562-1568 Room temperature continuous wave operation of a surface-emitting two-dimensional photonic crystal diode laser
【非特許文献２】Hideki Matsubara, Susumu Yoshimoto, Hirohisa Saito, Yue Jianglin, Yoshinori Tanaka, Susumu Noda  GaN Photonic-Crystal Surface-Emitting Laser at Blue-Violet Wavelengths SCIENCE Vol319 25 JANUARY 2008
【非特許文献３】秋季応用物理学会講演会  チャープフォトニック結晶を用いたレーザの低コヒーレンス化  横山圭祐  渡邊秀輝  馬場俊彦  7p-R-5  (2007)
【非特許文献４】Eiji Miyai,Kyosuke Sakai,Takayuki Okano,Watanabe Kunishi,Dai Ohnishi,Susumu Noda NATURE Vol441 June 2006 Lasers producing tailored beams
【非特許文献５】秋季応用物理学会講演会  二次元フォトニック結晶面発光レーザの格子点形状と面垂直光閉じ込め効果  黒板剛孝  宮井英次  酒井恭輔  大西大  國師渡  柏木淳一  野田進27p-ZB-7
【非特許文献６】秋季応用物理学会講演会  ダブルホール格子点による二次元フォトニック結晶レーザのバンド構造の制御  大塚晃嗣  宮井英次  酒井恭輔  黒板剛孝  國師渡  大西大  野田進  27p-ZB-12
【非特許文献７】秋季応用物理学会講演会  ２次元フォトニック結晶レーザの大面積安定動作に向けた格子点形状の設計  大塚晃嗣  宮井英次  酒井恭輔  黒板剛孝  國師渡  大西大  野田進  27p-ZB-10
【発明の開示】
【発明が解決しようとする課題】
【０００８】
二次元フォトニック結晶に周期配列させる格子形状を、三角形状としたり、円孔に微小孔を追加することによって、単峰性ビームを形成することが提案されているが、この三角形状の開口や微小孔を形成するには、１０nmオーダの精度が必要であり高い歩留まりで作製することは困難であるという問題がある。
【０００９】
本発明は前記した従来の問題点を解決し、二次元フォトニック結晶を用いた半導体レーザにおいて、単純で造りやすい構造によって、出射ビームのビーム形状を単峰性ビームとすることを目的とする。
【課題を解決するための手段】
【００１０】
本発明は、二次元フォトニック結晶による半導体レーザにおいて、二次元フォトニック結晶を構成する格子を矩形領域に円孔を配列させて形成し、この格子形成において矩形領域の外周部分である端部の構成を異ならせることで、出射ビームのビーム形状を単峰性ビームとする。
【００１１】
本発明の構成によれば、単に矩形領域の外周部分である端部にのみにおいて構成を異ならせることによって出射ビームのビーム形状を単峰性ビームとすることができ、また、格子配列は作成が容易な円孔によって形成することができ、従来の構成のように作製が困難である三角形状や微小孔等の高い精度を要する加工を不要とすることができる。
【００１２】
本発明の半導体レーザは、活性層に形成された二次元フォトニック結晶を有する半導体レーザ、もしくは、活性層の上方あるいは下方に形成した積層に形成された二次元フォトニック結晶を有する半導体レーザに適用することができる。
【００１３】
本発明は、矩形領域の外周部分である端部において構成を異ならせることによって、出射ビームのビーム形状を単峰性ビームとするものであり、この端部の構成は２つの態様により形成することができる。
【００１４】
本発明の半導体レーザの第１の態様と第２の態様は共に、二次元フォトニック結晶は、概ね一様な周期構造を有する内面部と、この内面部の周囲を囲む４辺の端部とからなる矩形領域を有し、この矩形領域は２組の互いに対向する２辺の端部を有する構成である。
【００１５】
第１の態様の半導体レーザは、２組の互いに対向する２辺の端部の内、各組について、対向する２辺の端部のいずれか一方の端部は、矩形領域の内面部の周期構造と異なる構造を有する。したがって、矩形領域が有する４辺の内の隣接する２辺の端部は、矩形領域の内面部の周期構造と異なる構造である。ここで、内面部の周期構造と異なる構造を有する端部は、同じ構造としてもよく、あるいは異なる構造としてもよい。
【００１６】
第２の態様の半導体レーザは、２組の互いに対向する２辺の端部の内、各組について、対向する２辺の端部は互いに異なる構造を有する非対称な構造を有する。このとき、矩形領域の対向する２辺の端部は互いに異なる構造であればよく、矩形領域の４辺の端部は、全ての端部を異なる構造としても、あるいは隣接する２辺の端部が同じ構造としてもよい。
【００１７】
また、第１の態様の半導体レーザにおいて、矩形領域の隣接する２辺の端部を矩形領域の内面部の周期構造と異ならせ、対向する他方の２辺の端部を矩形領域の内面部の周期構造と同じ構造のままとする構成は、対向する２辺の端部は互いに異なる構造を有する非対称な構造となるため、第２の態様の半導体レーザと見なすこともできる。
【００１８】
本発明の第１の態様および第２の態様の半導体レーザにおいて、二次元フォトニック結晶は、媒質層と、この媒質層と屈折率を異にし、媒質層内の面方向に配列される複数の媒質部とを備えた構成とすることができる。
【００１９】
構造を異にする端部は、媒質層の膜厚、媒質層の屈折率、媒質部の格子定数、媒質部の大きさ、媒質部の形状の少なくとも何れか一つの構造パラメータを異ならせることで形成することができる。
【００２０】
また、媒質部は媒質層の膜厚方向に形成された孔によって形成することができ、媒質部の格子定数は孔の配置間隔であり、媒質部の大きさは孔の径であり、媒質部の形状は孔の形状である。この孔は任意の形状とすることができるが、三角形状や微小な円孔を追加するといった高い加工精度を要する形状とすることなく、加工が容易な円孔で形成した場合であっても出射ビームのビーム形状を単峰性ビームとすることができる。
【００２１】
構造を異にする端部において構造パターンを異にする幅は任意に定めることができ、例えば、媒質部を円孔で構成する場合には、格子定数や大きさや形状を変える円孔列の幅を１列とする構成とする他に、複数列とする構成としてもよい。
【００２２】
本発明の第１の態様および第２の態様の半導体レーザにおいて、二次元フォトニック結晶は、構造を異にする端部は、上記した媒質層あるいは媒質部の構造パラメータを異ならせる構成に他に、反射防止膜を備える構成としてもよい。
【００２３】
この反射防止膜は、二次元フォトニック結晶の端部の側面、二次元フォトニック結晶の端部の上下面の何れか一方の面、二次元フォトニック結晶の端部の上面および下面、二次元フォトニック結晶の端部の側面および上下面の何れか一方の面、二次元フォトニック結晶の端部の側面および上下面の内の何れかの面に形成することができる。
【００２４】
反射防止膜は、フッ化マグネシウムを蒸着させた薄膜からなるＡＲコートを用いることができる。
【００２５】
さらに、上記した構造パラメータを異ならせる構成と反射防止膜を備える構成とを組み合わせた構成としてもよい。
【００２６】
また、二次元フォトニック結晶が備える概ね一様な周期構造を有する内面部は、構造パターンを同一とする一様な周期構造とする他、レーザモードを規定する構造パラメータを内面部の面内で漸次変化させるチャープ構造等の概ね一様な周期構造としてもよい。
【００２７】
フォトニック結晶の面内において、異なる構造パラメータが設定された各部位からは、各構造パラメータに応じて定まる波長や位相をもつレーザ光が局所的に発生する。ここで、構造パラメータを漸次チャープ状になめらかに変化させることによって、発生するレーザ光の波長や位相は漸次チャープ状になめらかに変化する。
【００２８】
これによって、フォトニック結晶から発生するレーザ光は、局所的にはそれぞれの構造パラメータに応じた波長や位相を有するものの、面全体としては所定の波長幅を有し、各位相にばらつきを有することになり、結果的にレーザ光の波長に所定の幅を持たせることで空間コヒーレンスを低減させ、位相にばらつきを持たせることによって時間コヒーレンスを低減させることができる。
【００２９】
本発明の半導体レーザにおいて、二次元フォトニック結晶は、第１の態様のように、２組の互いに対向する２辺の端部の内、各組について、対向する２辺の端部のいずれか一方の端部を矩形領域の内面部の周期構造と異なる構造とすることによって、あるいは、第２の態様のように、２組の互いに対向する２辺の端部の内、各組について、対向する２辺の端部を互いに異なる構造を有する非対称な構造とすることによって、各格子点の構造を作製がし易い円形の孔を用いた構成において、面内で共振する光の位相をずらし、素子の真上に出射強度を集中させることができ、もしくは、素子の真上から一方向にわずかに傾いた光にのみ出射強度を集中させることができ、結果的に単峰性の狭出射ビームを得ることができる。
【発明の効果】
【００３０】
本発明によれば、二次元フォトニック結晶を用いた半導体レーザにおいて、単純で造りやすい構造によって、出射ビームのビーム形状を単峰性ビームとすることができる。
【発明を実施するための最良の形態】
【００３１】
以下、本発明の実施の形態について、図を参照しながら詳細に説明する。
【００３２】
図１は本発明の二次元フォトニック結晶からなるバンドエッジレーザの構成例を模式的に示した構成図であり、スラブ型の二次元フォトニック結晶からなる半導体レーザの一例を模式的に示している。
【００３３】
図１（ａ）は活性層の上部の積層に二次元フォトニック結晶を形成した例を示し、図１（ｂ）は活性層に二次元フォトニック結晶を形成した例を示している。
【００３４】
図１（ａ）に示すバンドエッジレーザの半導体レーザ１０において、１４はクラッド層を構成する薄膜、１２はクラッド層内に形成する孔である。フォトニック結晶は高屈折率の材料からなるクラッド層１４と、低屈折率の材料からなる孔１２とによって構成され、孔１２はクラッド層１４の面内にほぼ周期的に複数配列されている。孔１２はクラッド層１４の厚さ方向に形成され、この孔１２内の空間を例えば空気の雰囲気とすることによって、クラッド層１４部分の異なる屈折率としている。ここでは、孔１２として円孔を示している。
【００３５】
したがって、この二次元フォトニック結晶は、半導体のスラブ（薄膜）に二次元的な空孔配列が形成された構造であり、光は面内では二次元フォトニックバンドギャップによって制御され、スラブの屈折率を空気層との間で全反射しない範囲とすることで垂直方向に放出している。
【００３６】
図１（ａ）に示す半導体レーザ１０は、基板１１上にアンダークラッド層１３を積層し、さらにアンダークラッド層１３の上部に孔１２を含むクラッド層１４を積層してなる。孔１２はクラッド層１４の薄膜内に垂直に例えば円柱状に設けられており、その上部は開口している。アンダークラッド層１３は、クラッド層１４よりも屈折率が低い材料から構成され、アンダークラッド層１３の下に基板１１が設けられている。アンダークラッド層１３は活性層を含み、この活性層で励起されたレーザ光はクラッド層１４と孔１２とから形成される二次元フォトニック結晶の共振器で共振され、クラッド層１４の上面から上方に向かって発光される。
【００３７】
図１（ｂ）に示す半導体レーザ２０は、基板２１上に孔２２を含む活性層２３を積層してなる。孔２２は活性層２３内に垂直に例えば円柱状に設けられており、その上部は開口している。活性層２３で励起されたレーザ光は活性層２３と孔２２とから形成される二次元フォトニック結晶の共振器で共振され、活性層２３の上面から上方に向かって発光される。
【００３８】
二次元フォトニック結晶の側面構造は、従来のスラブ型二次元フォトニック結晶と同様の構成とすることができ、従来の微細加工により技術を用いてスラブ型二次元フォトニック結晶の形状自体を形成することができる。
【００３９】
二次元フォトニック結晶は、一般的には、屈折率が光の波長オーダで一定の周期性を有する構成からなる材料において、フォトニックバンドギャップと呼ばれるフォトンが存在しない領域を有していることで知られている。
【００４０】
本発明の半導体レーザが備えるフォトニック結晶は、レーザモードを規定する構造パラメータを有する。この構造パラメータは、フォトニック結晶のレーザモードを規定するパラメータであって、孔径ｒの他に、例えば、隣接する孔間の間隔ａ、スラブ（クラッド層）の厚さｄ、スラブ（クラッド層）の屈折率ｎ、孔の形状等とすることができる。本発明は、これらの構造パラメータを面内において均一とする他に、漸次変化させる構成としてチャープ構造とすることもできる。
【００４１】
二次元フォトニック結晶の面内で、構造パラメータを漸次変える構成では、フォトニック結晶の面内の各部位は、その部位に設定された構造パラメータに応じた波長λのレーザ光を局所的に発光し、全体として波長幅が広がり、コヒーレンスが低減したレーザ光が放出される。
【００４２】
図１（ａ）、図１（ｂ）において、二次元フォトニック結晶の面構造は、２組の対向する２辺の端部を有する矩形領域３０を有し、この矩形領域は内面部３１とその四方を囲む４辺の端部３２ａ〜３２ｄを備える。内面部３１は、二次元フォトニック結晶の上記したように、孔からなる格子構成が概ね一様な周期構造で形成される。
【００４３】
一方、本発明の矩形領域３０が備える端部３２ａ〜３２ｄは、２組の互いに対向する２辺の端部３２において、対向する２辺の端部のいずれか一方の端部の構造が内面部３１の周期構造と異なる構造を有する構成、あるいは、２組の互いに対向する２辺の端部において、対向する２辺の端部は互いに異なる構造を有する非対称な構造を有する構成である。
【００４４】
図１において、端部３２ａ〜３２ｄの内で対向する２辺の端部は、端部３２ａと端部３２ｃからなる組と、端部３２ｂと端部３２ｄからなる組の２組を形成している。
【００４５】
本発明の一態様では、対向する２辺の端部３２ａと端部３２ｃのいずれか一方の端部の構造を内面部３１の周期構造と異なる構造とし、また、対向する２辺の端部３２ｂと端部３２ｄのいずれか一方の端部の構造を内面部３１の周期構造と異なる構造とする。
【００４６】
また、本発明の第１の態様では、対向する２辺の端部３２ａと端部３２ｃを互いに異なる構造とし、また、第２の態様では、対向する２辺の端部３２ｂと端部３２ｄを互いに異なる構造として、対向する２辺の端部では互いに非対称な構造とする。
【００４７】
端部における構造パラメータは、例えば、前記した孔径ｒ、隣接する孔間の間隔ａ、スラブ（クラッド層）の厚さｄ、スラブ（クラッド層）の屈折率ｎ、孔の形状等とし、第１の態様では、端部３２の構造パラメータと内面部３１の構造パラメータとを異ならせ、第２の態様では、対向する２辺の両端部の構造パラメータを互いに異ならせる。
【００４８】
また、端部の構造パラメータを異ならせる他、端部に反射防止膜を設けることによって端部の構造を内面部あるいは対向する辺の端部と異ならせることができる。
【００４９】
本発明の半導体レーザは、二次元フォトニック結晶において、２組の互いに対向する２辺の端部の内、各組について、対向する２辺の端部のいずれか一方の端部を矩形領域の内面部の周期構造と異なる構造とすることによって、あるいは、２組の互いに対向する２辺の端部の内、各組について、対向する２辺の端部を互いに異なる構造を有する非対称な構造とすることによって面内で共振する光の位相をずらす。この位相をずらすことで、素子の真上に出射強度を集中させたり、素子の真上から一方向にわずかに傾いた光にのみ出射強度を集中させ、これによって、単峰性の狭出射ビームを形成する。
【００５０】
フォトニック結晶の基板は、レーザウェハや多重量子井戸（ＭＱＷ）ウェハを用いることができ、例えば、InPの基板上に、InPのバッファ層とGaInAsPの活性層を含むクラッド層を積層し、さらにInPのクラッド層を積層することによって半導体レーザを構成することができる。
【００５１】
この半導体レーザの作製は、例えば、InPの基板上にＭＯＣＶＤを用いて結晶成長させることによって行うことができる。フォトニック結晶は、この基板上にエッチングマスクとしてＳiＮxを成膜し、電子線リソグラフを用いて形成したフォトニック結晶の円孔パターンを転写した後に、ＩＣＰ−ＲＩＥを用いて半導体のエッチングを行う。この後、塩酸による選択ウエットエッチングによってスラブ下のInP基板を部分的に除去することによって空気クラッドを形成する。
【００５２】
上記した構造パラメータあるいは反射防止膜による端部構造は、種々の組み合わせとすることができる。これらの組み合わせ例については、図３〜図６を用いて説明する。
【００５３】
図２は、本発明のフォトニック結晶の配列例を示している。図２は構造パラメータの一つである円孔の径ｒを端部において異ならせる例を示し、図２（ａ），（ｂ）は円孔を正方格子状に配置した例を示し、図２（ｃ）、（ｄ）は円孔を正方格子状に配置した例を示している。また、図２（ｂ），（ｄ）は、円孔の孔径が一方の面方向に漸増あるいは漸減させたチャープ構成の例を示している。ここでは、面内の右方向に向かって孔径ｒが漸減する例を示している。
【００５４】
図２の正方格子配列および三角格子配列において、二次元フォトニック結晶の実空間における孔の周期（孔の間隔ａ）と、孔の径２ｒを模式的に示している。フォトニック結晶の孔の周期は図中の間隔（ピッチ）ａで表すことができ、孔の径は半径ｒで表すことができる。なお、隣接する孔間の間隔ａは格子定数（＝λ／ｎ）に相当する。ここで、λは波長であり、ｎはスラブ（クラッド層）の屈折率である。
【００５５】
図２（ａ）の正方格子配列では、矩形領域３０は面内部３１とその周囲で互いに対向する２組の端部３２ａと端部３２ｃ、および端部３２ｂと端部３２ｄを有している。ここで、矩形領域３０の面内部３１の円孔の孔径を一様に２ｒとし、端部３２ａおよび端部３２ｄの円孔の孔径を２Ｒとする。これによって、端部３２ａおよび端部３２ｄの円孔の孔径を、面内部３１の円孔の孔径２ｒ、あるいは対向する端部３２ｂおよび端部３２ｂの円孔の孔径２ｒと異ならせる。
【００５６】
図２（ｂ）の正方格子配列においても、矩形領域３０は面内部３１とその周囲で互いに対向する２組の端部３２ａと端部３２ｃ、および端部３２ｂと端部３２ｄを有している。ここで、矩形領域３０は面内部３１の円孔の孔径を２r1から２r2まで漸減させ、端部３２ａおよび端部３２ｄの円孔の孔径を２Ｒとする。これによって、端部３２ａおよび端部３２ｄの円孔の孔径を、面内部３１の円孔の孔径２r1〜２r2、あるいは対向する端部３２ｂの円孔の孔径２r2又は端部３２ｂの円孔の孔径２r1〜２r2と異ならせる。
【００５７】
図２（ｃ）の三角格子配列は、図２（ａ）の正方格子配列と同様に、矩形領域３０は面内部３１とその周囲で互いに対向する２組の端部３２ａと端部３２ｃ、および端部３２ｂと端部３２ｄを有し、矩形領域３０の面内部３１の円孔の孔径を一様に２ｒとして三角格子状に配置する。また、端部３２ａおよび端部３２ｄの円孔の孔径を２Ｒとする。これによって、端部３２ａおよび端部３２ｄの円孔の孔径を、面内部３１の円孔の孔径２ｒ、あるいは対向する端部３２ｂおよび端部３２ｂの円孔の孔径２ｒと異ならせる。
【００５８】
図２（ｄ）の三角格子配列においても、図２（ｂ）の三角格子配列と同様に、矩形領域３０は面内部３１とその周囲で互いに対向する２組の端部３２ａと端部３２ｃ、および端部３２ｂと端部３２ｄを有し、矩形領域３０は面内部３１の円孔の孔径を２r1から２r2まで漸減させ、端部３２ａおよび端部３２ｄの円孔の孔径を２Ｒとする。これによって、端部３２ａおよび端部３２ｄの円孔の孔径を、面内部３１の円孔の孔径２r1〜２r2、あるいは対向する端部３２ｂの円孔の孔径２r2又は端部３２ｂの円孔の孔径２r1〜２r2と異ならせる。
【００５９】
図２では、端部において、円孔の孔径の構造パラメータを変える例を示しているが、上記した媒質層の膜厚、媒質層の屈折率、媒質部の格子定数、媒質部の形状の構造パラメータを異ならせることができる。また、隣接する端部の構造パラメータは、同一の構造パラメータについて、面内部や対向端との間で数値を異ならせる構成とする他、異なる構造パラメータについて、面内部や対向端との間で数値を異ならせる構成としてもよい。
【００６０】
また、媒質層の膜厚、媒質層の屈折率、媒質部の格子定数、媒質部の形状の構造パラメータに代えて反射防止膜を端部に設ける構成としてもよい。反射防止膜は、二次元フォトニック結晶の端部の側面、二次元フォトニック結晶の端部の上下面の何れか一方の面、二次元フォトニック結晶の端部の上面および下面、二次元フォトニック結晶の端部の側面および上下面の何れか一方の面、二次元フォトニック結晶の端部の側面および上下面の内の何れか面に形成することができる。
【００６１】
反射防止膜は、フッ化マグネシウムを蒸着させた薄膜からなるＡＲコートであり、例えば、光の１／４波長の膜厚を生成することで形成することができる。この反射防止膜を用いることによって、薄膜での反射光と薄膜と透過して反射することで１／２波長ずれを生じさせて逆位相とし、面内で共振する光の位相をずらして、出射強度を集中させて良好な単峰性を取得する。
【００６２】
上記した構造パラメータあるいは反射防止膜による端部構造は、種々の組み合わせとすることができる。以下、図３〜図６を用いて、これらの組み合わせ例について説明する。
【００６３】
図３（ａ），（ｂ）に示す例は、矩形領域３０が有する４つの辺の端部３２ａ〜３２ｄの内、端部３２ａと端部３２ｄのみについて二次元フォトニック結晶の構造パラメータを異ならせる構成である。
【００６４】
図３（ａ）に示す例では、端部３２ａと端部３２ｄの部分の構造パラメータを格子構造Ａとし、これによって、面内部３１の構造パラメータおよび対向する辺の端部３２ｃあるいは端部３２ｂと異ならせている。
【００６５】
また、図３（ｂ）に示す例では、端部３２ａの部分の構造パラメータを格子構造Ａとし、端部３２ｄの部分の構造パラメータを格子構造Ｂとし、これによって、面内部３１の構造パラメータおよび対向する辺の端部３２ｃあるいは端部３２ｂと異なる構造パラメータとしている。
【００６６】
図４（ａ）に示す例は、矩形領域３０が有する４つの辺の端部３２ａ〜３２ｄの内、対向する２辺の端部３２ａと端部３２ｄについて二次元フォトニック結晶の構造パラメータを互いに異ならせ、対向する２辺の端部３２ｂと端部３２ｃについては、端部３２ｄについてのみ二次元フォトニック結晶の構造パラメータを面内部３１の構造パラメータと異ならせる構成である。
【００６７】
図４（ａ）において、端部３２ａの部分の構造パラメータを格子構造Ａとし、対向する端部３２ｃの部分の構造パラメータを格子構造Ｂとし、これによって、対向する辺の端部の構造パラメータを互いに異ならせる。また、端部３２ｄの部分の構造パラメータを格子構造Ａとし、対向する端部３２ｂの部分の構造パラメータは面内部３１の構造パラメータのままとする。これによって、端部の構造パラメータを面内部３１の構造パラメータと異ならせている。
【００６８】
なお、図４（ａ）の例では、端部３２ｄの構造パラメータを格子構造Ａとしているが、格子構造Ｂあるいはその他の格子構造としてもよい。
【００６９】
図４（ｂ）に示す例は、矩形領域３０が有する４つの辺の端部３２ａ〜３２ｄの内、対向する２辺の端部３２ａと端部３２ｄについて二次元フォトニック結晶の構造パラメータを互いに異ならせ、対向する２辺の端部３２ｂと端部３２ｃについて二次元フォトニック結晶の構造パラメータを互いに異ならせる構成である。
【００７０】
図４（ｂ）において、端部３２ａの部分の構造パラメータを格子構造Ａとし、対向する端部３２ｂの部分の構造パラメータを格子構造Ｂとし、また、端部３２ｂの部分の構造パラメータを格子構造Ｂとし、対向する端部３２ｄの部分の構造パラメータを格子構造Ａとする。これによって、対向する辺の端部の構造パラメータを互いに異ならせる。
【００７１】
なお、図４（ｂ）の例において、互いに対向する２辺の端部間では、何れの端部の構造パラメータを格子構造Ａとするか格子構造Ｂとするかは任意とすることができる。また、対向する端部の構造パラメータが異なれば、設定する格子構造は任意とすることができる。
【００７２】
図５（ａ），（ｂ）に示す例は、矩形領域３０が有する４つの辺の端部３２ａ〜３２ｄの内、端部３２ａと端部３２ｄのみについて二次元フォトニック結晶の端部に反射防止膜を設ける構成である。
【００７３】
図５（ａ）の例は、二次元フォトニック結晶の端部の側面に反射防止膜を設ける構成であり、図５（ｂ）の例は、二次元フォトニック結晶の端部の上面（下面）に反射防止膜を設ける構成である。
【００７４】
図５（ａ）に示す例では、端部３２ａと端部３２ｄの部分の側面部分に反射防止膜Ｃを設ける構成とし、これによって、面内部３１の構造パラメータおよび対向する辺の端部３２ｃあるいは端部３２ｂの構造パラメータと異ならせている。
【００７５】
また、図５（ｂ）に示す例では、端部３２ａと端部３２ｄの部分の上面部分あるいは下面部分に反射防止膜Ｃを設ける構成とし、これによって、面内部３１の構造パラメータおよび対向する辺の端部３２ｃあるいは端部３２ｂの構造パラメータと異ならせている。
【００７６】
図６（ａ）〜（ｃ）に示す例は、矩形領域３０が有する４つの辺の端部３２ａ〜３２ｄにおいて、二次元フォトニック結晶の構造パラメータを異ならせる構成と二次元フォトニック結晶の端部に反射防止膜を設ける構成とを組み合わせる構成である。
【００７７】
図６（ａ）に示す例では、端部３２ａの部分の側面部分に反射防止膜Ｃを設け、端部３２ｄの部分の構造パラメータを格子構造Ａとし、これによって、面内部３１の構造パラメータおよび対向する辺の端部３２ｃあるいは端部３２ｂと異ならせている。
【００７８】
図６（ｂ）に示す例では、端部３２ａの部分の側面部分と端部３２ｄの部分の側面部分に反射防止膜Ｃを設け、端部３２ａと対向する端部３２ｃの部分の構造パラメータを格子構造Ａとし、これによって、面内部３１の構造パラメータおよび、端部３２ｄと対向する端部３２ｂの構造パラメータと異ならせている。
【００７９】
図６（ｃ）に示す例では、端部３２ａの部分の側面部分と隣接する端部３２ｄの部分の側面部分に反射防止膜Ｃを設け、端部３２ｂと隣接する端部３２ｃの部分の構造パラメータを格子構造Ａとし、これによって、面内部３１の構造パラメータおよび、互いに対向する端部の構造パラメータと異ならせている。
【００８０】
図６では、端部の側面に反射防止膜を設ける構成を示しているが、端部の上面あるいは下面に反射防止膜を設ける構成としてもよい。
【００８１】
上記した図３〜図６に示した構成例を表１に示す。
【００８２】
【表１】
0005152721.tif 000002
【００８３】
本発明の半導体レーザの構成は、これらの構成例に限られるものではなく、本発明の、矩形領域において、２組の互いに対向する２辺の端部において、対向する２辺の端部のいずれか一方の端部の構造を内面部の周期構造と異なる構造とする構成、あるいは、矩形領域において、２組の互いに対向する２辺の端部において、対向する２辺の端部は互いに異なる構造を有する非対称な構造とする構成という技術思想に基づく構成であれば任意の組み合わせに適用することができる。
【００８４】
図７は、前記した図３に示した、端部３２ａの円孔の孔径と端部３２ｄの円孔の孔径を異ならせた構成の一実施例である。
【００８５】
図８は本発明による非対称構造による半導体レーザの光ビームのパターン（図８（ａ））と、光強度分布（図８（ｂ））を示している。なお、図８（ｂ）に示す光強度パターンは図８（ａ）中の縦線に沿った範囲の光強度を示している。
【００８６】
図８（ｂ）に示す光強度の２つのピークを比較すると、最大のピーク強度と次に大きなピーク強度とは５dＢの強度差があり、得られる光ビームはほぼ単峰性であると云うことができる。
【００８７】
一方、図９は従来の対称構造による半導体レーザの光ビームのパターンを示している。このパターンは双峰性を示している。
【産業上の利用可能性】
【００８８】
本発明の半導体レーザは、光ディスクの光源やレーザディスプレイの光源に適用することができる。
【図面の簡単な説明】
【００８９】
【図１】本発明の二次元フォトニック結晶からなる半導体レーザを模式的に示した構成図である。
【図２】本発明の二次元フォトニック結晶の配列例を示す図である。
【図３】本発明の二次元フォトニック結晶の構成例を説明するための図である。
【図４】本発明の二次元フォトニック結晶の構成例を説明するための図である。
【図５】本発明の二次元フォトニック結晶の構成例を説明するための図である。
【図６】本発明の二次元フォトニック結晶の構成例を説明するための図である。
【図７】本発明の二次元フォトニック結晶の実施例を説明するための図である。
【図８】本発明の半導体レーザの光ビームのパターンおよび光強度分布を示す図である。
【図９】従来の対称構造による半導体レーザの光ビームのパターンを示す図である。
【符号の説明】
【００９０】
１０ 半導体レーザ
１１ 基板
１２ 孔
１３ アンダークラッド層
１４ クラッド層
２０ 半導体レーザ
２１ 基板
２２ 孔
２３ 活性層
３０ 矩形領域
３１ 内面部
３１ 面内部
３２ 端部
３２ａ 端部
３２ｂ 端部
３２ｃ 端部
３２ｄ 端部
Ａ 格子構造
Ｂ 格子構造
Ｃ 反射防止膜
ａ 間隔
ｒ    径
【図２】
0005152721.tif 000003
【図３】
0005152721.tif 000004
【図４】
0005152721.tif 000005
【図５】
0005152721.tif 000006
【図６】
0005152721.tif 000007
【図１】
0005152721.tif 000008
【図７】
0005152721.tif 000009
【図８】
0005152721.tif 000010
【図９】
0005152721.tif 000011